(57)【要約】【課題】電子データと紙データのリンク性を強くして、利便性を向上できるチャート式レコーダを実現する。【解決手段】測定値の電子データをも生成するチャート式レコーダにおいて、チャートの所定位置に設けられたＲＦＩＤタグと、前記レコーダに設けられこのＲＦＩＤタグを読み取るＲＦＩＤタグリーダと、前記測定値の電子データに前記ＲＦＩＤタグリーダの読み取り情報を添付する添付手段とを具備したことを特徴とするチャート式レコーダである。【選択図】図１
2008185508.tif 000002
【特許請求の範囲】
【請求項１】
測定値の電子データをも生成するチャート式レコーダにおいて、
チャートの所定位置に設けられたＲＦＩＤタグと、
前記レコーダに設けられこのＲＦＩＤタグを読み取るＲＦＩＤタグリーダと、
前記測定値の電子データに前記ＲＦＩＤタグリーダの読み取り情報を添付する添付手段と
を具備したことを特徴とするチャート式レコーダ。
【請求項２】
所定の前記ＲＦＩＤタグの情報を他のＲＦＩＤタグリーダへ転送する転送手段
を具備したことを特徴とする請求項１記載のチャート式レコーダ。
【請求項３】
前記ＲＦＩＤタグは、前記チャートの記録開始部に設けられたこと
を特徴とする請求項１又は請求項２記載のチャート式レコーダ。
【請求項４】
前記ＲＦＩＤタグは、前記チャートの記録終了部に設けられたこと
を特徴とする請求項１乃至請求項３の何れかに記載のチャート式レコーダ。
【請求項５】
前記ＲＦＩＤタグは、前記チャートの送り方向に所定間隔を置いて設けられたこと
を特徴とする請求項１乃至請求項４の何れかに記載のチャート式レコーダ。
【請求項６】
前記ＲＦＩＤタグは、前記チャートの記録基準原点から水平方向の反対側に設けられたこと
を特徴とする請求項５記載のチャート式レコーダ
【請求項７】
前記ＲＦＩＤタグは、前記チャートのページ単位に１個設けられたこと
を特徴とする請求項５又は請求項６記載のチャート式レコーダ。
【請求項８】
前記ＲＦＩＤタグの番号は、前記チャートの送られる方向に順次増加して付与されたこと
を特徴とする請求項１乃至請求項７の何れかに記載のチャート式レコーダ。
【請求項９】
前記ＲＦＩＤタグは、前記チャートの原紙を作成する段階でＲＦＩＤタグを一緒に漉き込まれたこと
を特徴とする請求項１乃至請求項８の何れかに記載のチャート式レコーダ。
【請求項１０】
前記ＲＦＩＤタグは、原紙を作成後に接着取付けられること
を特徴とする請求項１乃至請求項８何れかに記載のチャート式レコーダ。
【発明の詳細な説明】
【技術分野】
【０００１】
本発明は、チャート式レコーダに関するものである。
更に詳しくは、電子データと紙データのリンク性を強くして、利便性を向上する。
膨大な量のチャート紙が存在した場合でも、チャート紙の検索性を容易にするチャート式レコーダに関するものである。
【背景技術】
【０００２】
チャート式レコーダに関連する先行技術文献としては次のようなものがある。
【０００３】
【特許文献１】特開平１１−１４３６０９号公報
【０００４】
図９は従来より一般に使用されている従来例の構成説明図で、ネットワーク対応型チャート式レコーダの例である。
チャート式レコーダ１で計測された測定データは、チャート紙２に記録される。
チャート式レコーダ１は、同時に電子データ３を生成し、ネットワーク４経由でデータをデータサーバ５に送信する。
【０００５】
図１０は、チャート式レコーダ１の内部ブロックの例で、ＣＰＵ１１、通信Ｉ／Ｆ１２、計測回路１３、メモリ１４、駆動系制御回路１５、プリンタ系１６とチャート送り系１７とで構成されている。
【発明の開示】
【発明が解決しようとする課題】
【０００６】
このような装置においては、以下の間題点がある。
チャート紙２の記録と、電子データ３とのリンク性が十分ではない。
即ち、電子データ３は、「検索性」が良いというメリットがある。しかし、データ「改ざん」のリスクがつきまとう。
そこで、電子データ３を用いることで、データを素早く検索し、改ざんが無い事をチャート紙上の記録で確認したい場合に、対応するチャート紙を探す（検索）作業は、手作業で行う必要性がある。
【０００７】
例えば、発電プラントなどの大規模な計装システムの場合、使用されるチャート紙２も膨大な量にのぼる。
倉庫にしまい込んだ膨大な量のチャート紙２を検索する場合、「目視」に頼ってチャート紙を特定するので、不便であり、所要時間も膨大な時間となる。
【０００８】
本発明の目的は、上記の課題を解決するもので、電子データと紙データのリンク性を強くして、利便性を向上できるチャート式レコーダを提供することにある。
【課題を解決するための手段】
【０００９】
このような課題を達成するために、本発明では、請求項１のチャート式レコーダにおいては、
測定値の電子データをも生成するチャート式レコーダにおいて、チャートの所定位置に設けられたＲＦＩＤタグと、前記レコーダに設けられこのＲＦＩＤタグを読み取るＲＦＩＤタグリーダと、前記測定値の電子データに前記ＲＦＩＤタグリーダの読み取り情報を添付する添付手段とを具備したことを特徴とする。
【００１０】
本発明の請求項２のチャート式レコーダにおいては、請求項１記載のチャート式レコーダにおいて、
所定の前記ＲＦＩＤタグの情報を他のＲＦＩＤタグリーダへ転送する転送手段を具備したことを特徴とする。
【００１１】
本発明の請求項３のチャート式レコーダにおいては、請求項１又は請求項２記載のチャート式レコーダにおいて、
前記ＲＦＩＤタグは、前記チャートの記録開始部に設けられたことを特徴とする。
【００１２】
本発明の請求項４のチャート式レコーダにおいては、請求項１乃至請求項３の何れかに記載のチャート式レコーダにおいて、
前記ＲＦＩＤタグは、前記チャートの記録終了部に設けられたことを特徴とする。
【００１３】
本発明の請求項５のチャート式レコーダにおいては、請求項１乃至請求項４の何れかに記載のチャート式レコーダにおいて、
前記ＲＦＩＤタグは、前記チャートの送り方向に所定間隔を置いて設けられたことを特徴とする。
【００１４】
本発明の請求項６のチャート式レコーダにおいては、請求項５記載のチャート式レコーダにおいて、
前記ＲＦＩＤタグは、前記チャートの記録基準原点から水平方向の反対側に設けられたことを特徴とする。
【００１５】
本発明の請求項７のチャート式レコーダにおいては、請求項５又は請求項６記載のチャート式レコーダにおいて、
前記ＲＦＩＤタグは、前記チャートのページ単位に１個設けられたことを特徴とする。
【００１６】
本発明の請求項８のチャート式レコーダにおいては、請求項１乃至請求項７の何れかに記載のチャート式レコーダにおいて、
前記ＲＦＩＤタグの番号は、前記チャートの送られる方向に順次増加して付与されたことを特徴とする。
【００１７】
本発明の請求項９のチャート式レコーダにおいては、請求項１乃至請求項８の何れかに記載載のチャート式レコーダにおいて、
前記ＲＦＩＤタグは、前記チャートの原紙を作成する段階でＲＦＩＤタグを一緒に漉き込まれたことを特徴とする。
【００１８】
本発明の請求項１０のチャート式レコーダにおいては、請求項１乃至請求項８何れかに記載のチャート式レコーダにおいて、
前記ＲＦＩＤタグは、原紙を作成後に接着取付けられることを特徴とする。
【発明の効果】
【００１９】
本発明の請求項１によれば、次のような効果がある。
測定電子データを元にして、チャート紙データを参照するとき、ＲＦＩＤタグを使用することで、検索が容易にできるチャート式レコーダが得られる。
また、チャート紙の保管場所に、該当のチャート紙が存在するか否かも、すぐに分かるチャート式レコーダが得られる。
【００２０】
本発明の請求項２によれば、次のような効果がある。
所定のＲＦＩＤタグの情報を他のＲＦＩＤタグリーダへ転送する転送手段が設けられたので、特に、ハンディタイプのＲＦＩＤタグリーダが使用でき、膨大な量のチャート紙が保管されているチャート紙の保管場所に、容易にアクセスできるチャート式レコーダが得られる。
【００２１】
本発明の請求項３によれば、次のような効果がある。
ＲＦＩＤタグは、チャートの記録開始部に設けられたので、記録開始からのチャートの長さが容易に分かるチャート式レコーダが得られる。
また、ＲＦＩＤタグは、チャートの記録開始部に設けられたので、チャートの伸縮への影響が少なく、記録精度への影響を回避できるチャート式レコーダが得られる。
【００２２】
本発明の請求項４によれば、次のような効果がある。
ＲＦＩＤタグは、チャートの記録終了部に設けられたので、記録終了からのチャートの長さが容易に分かるチャート式レコーダが得られる。
また、ＲＦＩＤタグは、チャートの記録終了部に設けられたので、チャートの伸縮への影響が少なく、記録精度への影響を回避できるチャート式レコーダが得られる。
【００２３】
本発明の請求項５によれば、次のような効果がある。
ＲＦＩＤタグは、チャートの送り方向に所定間隔を置いて設けられたので、チャートの個々の位置が容易に分かるチャート式レコーダが得られる。
【００２４】
本発明の請求項６によれば、次のような効果がある。
ＲＦＩＤタグは、チャートの記録基準原点から水平方向の反対側に設けられたので、チャートの伸縮への影響が少なく、記録精度への影響を回避できるチャート式レコーダが得られる。
【００２５】
本発明の請求項７によれば、次のような効果がある。
ＲＦＩＤタグは、チャートのページ単位に１個設けられたので、ページ単位でチャートの記録位置が容易に分かるチャート式レコーダが得られる。
【００２６】
本発明の請求項８によれば、次のような効果がある。
ＲＦＩＤタグの番号は、チャートの送られる方向に順次増加して付与されたので、チャートの記録位置が容易に整理しやすいチャート式レコーダが得られる。
【００２７】
本発明の請求項９によれば、次のような効果がある。
ＲＦＩＤタグは、チャートの原紙を作成する段階でＲＦＩＤタグを一緒に漉き込むので、ＲＦＩＤタグが設けられたチャート紙の製造の自動化が容易で、改ざんが困難なチャート式レコーダが得られる。
【００２８】
本発明の請求項１０によれば、次のような効果がある。
ＲＦＩＤタグは、原紙を作成後に接着されるので、後付けが容易にできるチャート式レコーダが得られる。
【発明を実施するための最良の形態】
【００２９】
以下本発明を図面を用いて詳細に説明する。
図１は本発明の一実施例の要部構成説明図、図２は図１のチャート式レコーダの内部のブロック図の例で、図３は図１の要部構成説明図、図４，図５は図１の動作説明図である。
図において、図９，図１０と同一記号の構成は同一機能を表す。
以下、図９，図１０との相違部分のみ説明する。
【００３０】
図１において、チャート式レコーダ−３１は、測定値の電子データをも生成する。
ＲＦＩＤタグ３２は、チャート３３の所定位置に設けられている。この場合は、図３に示す如く、ＲＦＩＤタグ３２は、チャート３３の記録開始部３３１に設けられている。
【００３１】
また、ＲＦＩＤタグ３２は、チャート３３の記録終了部３３２にも設けられている。
このようにＲＦＩＤタグ３２をレイアウトする事で、印字記録精度への影響を回避することができる。
チャート式レコーダ３１は（打点や、ペンなどの）印字と、チャート紙３３上のグリッドとの位置関係が、印字記録精度に関係するので、非常に重要である。
【００３２】
また、チャート紙３３は湿度などの環境条件によって収縮する。
ＲＦＩＤタグ３２をチャート紙３３上に設けた部分は、他の部分と比べて収縮率が変動する事が予想される。
そこで、収縮率が変動しても、記録精度に影響が無い場所にＲＦＩＤタグ３２を設ける事が望ましい。
チャート紙３３にＲＦＩＤタグ３２を設置する場所は配慮が必要である。
【００３３】
また、この場合は、ＲＦＩＤタグ３２の番号は、チャート３３の送られる方向に順次増加して付与されている。
また、この場合は、ＲＦＩＤタグ３２は、チャート３３の原紙を作成する段階でＲＦＩＤタグを一緒に漉き込まれている。
【００３４】
ＲＦＩＤタグリーダ３４は、レコーダ３１に設けられ、ＲＦＩＤタグ３２を読み取る。
この場合は、ＲＦＩＤタグリーダ３４は、チャート３３を収納するハウジング３１１内に設けられている。
【００３５】
図２はチャート式レコーダ３１の内部ブロック図で、ＲＦＩＤタグ３２を制御するＲＦＩＤ制御系３５が設けられている。
添付手段３６は、測定値の電子データに、ＲＦＩＤタグリーダ３４の読み取り情報を添付する。
【００３６】
以上の構成において、計測したデータをチャート紙３３に記録すると共に、同時に電子データも生成してサーバ５に送出する。
通常の運用時には、サーバ５側にて、計測データをモニターすれば検索などの利便性が高い。
【００３７】
図４は、サーバー側に蓄積される電子データの例である。
このように、時刻・測定データ・ＲＦＩＤタグ情報が、セットになって収納されている。
図４では、データの途中から先頭のＲＦＩＤタグの情報が消えている。これは、チャート３３が，１８：００時以後、切り取られた事を意味する。
【００３８】
図５では、問題が発生した時に、チャート紙で偽造が無い事を確認するケースの動作フローを示す。
Ｓｔｅｐ１にて、
検査官がサーバ上の計測電子データを検査して、概要を把握する。
Ｓｔｅｐ２にて、
電子データの偽造の有無を確認したい場合。
【００３９】
Ｓｔｅｐ３にて、
電子データ上にリンクされたＲＦＩＤの情報を他のＲＦＩＤリーダへ転送する。
Ｓｔｅｐ４にて、
ＲＦＩＤリーダを持ってチャート紙の保管場所へ行き、当該チャート紙を探して、チャート紙を検査する。
【００４０】
この結果、
測定電子データを元にして、チャート紙データを参照するとき、ＲＦＩＤタグ３２を使用することで、検索が容易にできるチャート式レコーダが得られる。
また、チャート紙３３の保管場所に、該当のチャート紙３３が存在するか否かも、すぐに分かるチャート式レコーダが得られる。
【００４１】
所定のＲＦＩＤタグ３２の情報を他のＲＦＩＤタグリーダへ転送する転送手段が設けられたので、特に、ハンディタイプのＲＦＩＤタグリーダが使用でき、膨大な量のチャート紙が保管されているチャート紙３３の保管場所に、容易にアクセスできるチャート式レコーダが得られる。
【００４２】
ＲＦＩＤタグ３２は、チャートの記録開始部３３１に設けられたので、記録開始からのチャート３３の長さが容易に分かるチャート式レコーダが得られる。
また、ＲＦＩＤタグ３２は、チャートの記録開始部３３１に設けられたので、チャートの伸縮への影響が少なく、記録精度への影響を回避できるチャート式レコーダが得られる。
【００４３】
ＲＦＩＤタグ３２は、チャートの記録終了部３３２に設けられたので、記録終了からのチャート３３の長さが容易に分かるチャート式レコーダが得られる。
また、ＲＦＩＤタグは、チャートの記録終了部に設けられたので、チャートの伸縮への影響が少なく、記録精度への影響を回避できるチャート式レコーダが得られる。
【００４４】
ＲＦＩＤタグ３２の番号は、チャート３３の送られる方向に順次増加して付与されたので、チャート３３の記録位置が容易に整理しやすいチャート式レコーダが得られる。
【００４５】
ＲＦＩＤタグ３２は、チャートの３３原紙を作成する段階で、ＲＦＩＤタグ３２を一緒に漉き込むので、ＲＦＩＤタグ３２が設けられたチャート紙３３の製造の自動化が容易で、改ざんが困難なチャート式レコーダが得られる。
【００４６】
図６は、本発明の他の実施例の要部構成説明図、図７は図６の動作説明図である。
図６において、ＲＦＩＤタグ４１は、チャート４２の送り方向に所定間隔を置いて設けられている。この場合は、ＲＦＩＤタグ４１は、チャート４２のページ単位に１個設けられている。
【００４７】
レコーダのチャート紙は、折りたたみや、引きちぎる時の利便性を考慮して、ミシン目が入っているタイプがあり、多く用いられている。
このミシン目とミシン目の間で定義される各ページに１つのＲＦＩＤタグ４１を設けた。この場合は、ＲＦＩＤタグ４１は、番号の若い順に、チャート紙に設置されている。
【００４８】
また、この場合は、ＲＦＩＤタグ４１は、チャート４２の記録基準原点４２１から水平方向の反対側に設けられている。
なお、４２２はチャート紙４２の収縮を考慮した横長の穴、４２３はチャートのミシン目である。
なお、この場合は、チャート紙４２のベースになる紙を製造した後、目盛り印刷や穴開け工程の時にＲＦＩＤタグ４１を接着している。
【００４９】
以上の構成において、図７は、電子データの例である。電子データでも、ＲＦＩＤタグ４１の番号を順番にレイアウトしている。
この場合は、チャート紙４２を３回、ちぎってレコーダから持ち去った場合を示している。
【００５０】
レコーダ内に設けられたＲＦＩＤリーダ３４から、該当のＲＦＩＤタグ４１が検出できなくなってしまった時点で、電子データ上の該当ＲＦＩＤ情報が空白になっている。
この場合は、ＲＦＩＤタグ４１のナンバーは、左から右に向かって、若い順に並べられている。
【００５１】
この結果、ＲＦＩＤタグ４１は、チャート４２の送り方向に所定間隔を置いて設けられたので、チャート４２の個々の位置が容易に分かるチャート式レコーダが得られる。
チャートが途中でちぎられた場合に、ちぎられた時間情報も、「きめ細かく」取得可能である。
計測後のチャート紙４２が、いくつも分割されて、別々の場所に保管された場合でも、ＲＦＩＤタグ４１とＲＦＩＤリーダ３４を活用した捜索が可能である。
【００５２】
ＲＦＩＤタグ４１は、チャート４２の記録基準原点４２１から水平方向の反対側に設けられたので、チャート４２伸縮への影響が少なく、記録精度への影響を回避できるチャート式レコーダが得られる。
【００５３】
ＲＦＩＤタグ４１は、チャート４２のページ単位に１個設けられたので、ページ単位でチャートの記録位置が容易に分かるチャート式レコーダが得られる。
【００５４】
ＲＦＩＤタグ４１は、原紙を作成後に接着されるので、後付けが容易にできるチャート式レコーダが得られる。
【００５５】
図８は、本発明の他の実施例の要部構成説明図である。
図８において、ＲＦＩＤタグ５１は、チャート４２の送り方向に所定間隔を置いて設けられている。具体的には、２ページに１個の割合でＲＦＩＤタグ５１が設けられている。  現状では、ＲＦＩＤタグは紙にくらべてコストが高い。コストダウンを考慮して、２ページに１個の割合で間引いて設けられた実施例である。
チャート紙４２上のＲＦＩＤタグ５１を間引いて設けることで、コストが低減できるチャート式レコーダが得られる。
【００５６】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００５７】
【図１】本発明の一実施例の要部構成説明図である。
【図２】図１のブロック図である。
【図３】図１の要部構成説明図である。
【図４】図１の動作説明図である。
【図５】図１の動作説明図である。
【図６】本発明の他の実施例の要部構成説明図である。
【図７】図６の動作説明図である。
【図８】従来より一般に使用されている従来例の構成説明図である。
【図９】従来より一般に使用されている他の従来例の構成説明図である。
【図１０】図９のブロック図である。
【符号の説明】
【００５８】
１      チャート式レコーダ
２      チャート紙
３      電子データ
４      ネットワーク
５      データサーバ
１１    ＣＰＵ
１２    通信Ｉ／Ｆ
１３    計測回路
１４    メモリ
１５    駆動系制御回路
１６    プリンタ系
１７    チャート送り系
３１    チャート式レコーダ−
３１１  ハウジング
３２    ＲＦＩＤタグ
３３    チャート
３３１  記録開始部
３３２  記録終了部
３４    ＲＦＩＤタグリーダ
３５    ＲＦＩＤ制御系
３６    添付手段
４１    ＲＦＩＤタグ
４２    チャート
４２１  記録基準原点
４２２  横長の穴
４２３  チャートのミシン目
５１    ＲＦＩＤタグ
【図１】
2008185508.tif 000003
【図２】
2008185508.tif 000004
【図３】
2008185508.tif 000005
【図４】
2008185508.tif 000006
【図５】
2008185508.tif 000007
【図６】
2008185508.tif 000008
【図７】
2008185508.tif 000009
【図８】
2008185508.tif 000010
【図９】
2008185508.tif 000011
【図１０】
2008185508.tif 000012